(57)【要約】【課題】粘着性テープが付着残留した離型テープを搬送する際、粘着性テープが付着して搬送が円滑に行なえなくなるのを防止した貼着装置を提供することにある。【解決手段】所定の位置に位置決めされる基板よりも供給リール９側に設けられ供給リール９から離型テープ８とともに繰り出された粘着性テープを所定の長さに切断する切断ユニット２３と、所定の位置に位置決めされた基板よりも巻き取りリール側に設けられ所定の長さに切断された粘着性テープを離型テープとともに送って基板の側部上面に対向する位置に位置決めする送り装置２０と、位置決めされた粘着性テープを位置決めされた基板の側部上面に加圧貼着する加圧ツール１３と、所定の位置に位置決めされる基板と送り装置との間に設けられ送り装置によって送られて巻き取りリール１２に巻き取られる離型テープに粘着性テープが残留しているときにその粘着性テープに温度変化を与えて粘着性を除去する冷却装置３７とを具備する。【選択図】      図１
2008150144.tif 000002
【特許請求の範囲】
【請求項１】
離型テープに貼着された粘着性テープを供給リールから繰り出して所定の長さに切断し、所定の位置に位置決めされる基板の側部上面に貼着してから、上記離型テープを巻き取りリールに巻き取る貼着装置であって、
所定の位置に位置決めされる上記基板よりも上記供給リール側に設けられこの供給リールから上記離型テープとともに繰り出された上記粘着性テープを所定の長さに切断する切断ユニットと、
所定の位置に位置決めされた上記基板よりも上記巻き取りリール側に設けられ所定の長さに切断された上記粘着性テープを上記離型テープとともに送って上記基板の側部上面に対向する位置に位置決めする送り手段と、
位置決めされた上記粘着性テープを位置決めされた上記基板の側部上面に加圧貼着する加圧手段と、
所定の位置に位置決めされる上記基板と上記送り手段との間に設けられ上記送り手段によって送られて上記巻き取りリールに巻き取られる離型テープに粘着性テープが残留しているときにその粘着性テープに温度変化を与えて粘着性を除去する温度制御手段と
を具備したことを特徴とする粘着性テープの貼着装置。
【請求項２】
上記温度制御手段は上記粘着性テープを冷却して粘着性を除去する冷却装置であることを特徴とする請求項１記載の粘着性テープの貼着装置。
【請求項３】
上記温度制御手段は上記粘着性テープを加熱して粘着性を除去する加熱装置であることを特徴とする請求項１記載の粘着性テープの貼着装置。
【請求項４】
上記送り手段は、上記離型テープを挟持する一対の爪を有するチャックと、上記一対の爪が上記離型テープを挟持した状態で上記チャックを上記離型テープの巻き取り方向に沿って駆動する送り装置とによって構成されていることを特徴とする請求項１記載の粘着性テープの貼着装置。
【請求項５】
上記送り手段は、回転駆動される駆動ローラと、この駆動ローラに上記離型テープを介して弾性的に転接する挟みローラとによって構成されていることを特徴とする請求項１記載の粘着性テープの貼着装置。
【請求項６】
離型テープに貼着された粘着性テープを供給リールから繰り出して所定の長さに切断し、所定の位置に位置決めされる基板の側部上面に貼着してから、上記離型テープを巻き取りリールに巻き取る貼着方法であって、
上記粘着性テープを所定の長さに切断する工程と、
所定の長さに切断された粘着性テープを上記基板の側部上面に貼着する工程と、
粘着性テープが基板に貼着された離型テープを上記巻き取りリールに巻き取る工程と、
上記離型テープを上記巻き取りリールに巻き取るために送るとき、上記離型テープに上記粘着性テープが残留していたならばその粘着性テープに温度変化を与えて粘着性を除去する工程と
を具備したことを特徴とする粘着性テープの貼着方法。
【発明の詳細な説明】
【技術分野】
【０００１】
この発明は基板の側部上面に設けられた複数の端子からなる端子部に粘着性テープを貼着する粘着性テープの貼着装置及び貼着方法に関する。
【背景技術】
【０００２】
たとえば、液晶ディスプレイパネルやプラズマディスプレイパネルに代表されるフラットパネルディスプレイなどの製造工程においては、ガラス製の基板の側部上面に、ＴＣＰ（Tape Carrier Package）などの電子部品を異方性導電性部材からなる粘着性テープを介して貼着する工程がある。
【０００３】
上記電子部品を上記基板の側部上面に貼着する前に、基板の側部上面に所定の長さに切断された上記粘着性テープを貼着する工程がある。粘着性テープは離型テープに貼着されていて、これらは供給リールに巻装されている。
【０００４】
基板の側部上面に電子部品を粘着性テープによって貼着する場合、まず、離型テープとともに供給リールから繰り出された粘着性テープを切断機構によって所定長さに切断する。このときの粘着性テープの切断長さは、上記基板の側部上面に設けられた複数の端子からなる端子部の長さに対応する長さに設定される。
【０００５】
ついで、離型テープのすでに粘着性テープが基板に貼着されて除去された部分をチャックなどの送り機構によって挟持して送ることで、粘着性テープの所定長さに切断された部分をテーブルに載置された基板の側部上面に対向するよう位置決めする。ついで、切断された粘着性テープを基板に加圧して貼着するようにしている。このような従来技術は特許文献１に示されている。
【特許文献１】特開平７−１０１６１８号公報
【発明の開示】
【発明が解決しようとする課題】
【０００６】
ところで、作業開始時には所定長さに切断された粘着性テープの先端を基板に対して位置決めする、いわゆる頭出しをするため、離型テープに貼着された粘着性テープを所定の位置で切断機構によって切断し、その切断された部分の先端を所定の位置に位置決めするようにしている。
【０００７】
その際、離型テープに貼着された粘着性テープを所定の位置で切断することによって、離型テープには頭出しされる粘着性テープの先端よりも送り方向下流側に切断された粘着テープが残留している。
【０００８】
そのため、頭出しが終了した後に、粘着性テープの切断と貼着を繰り返して行うために離型テープを送り手段によって送ると、離型テープに残留した粘着性テープが送り手段に貼着し、離型テープを確実に送ることができなくなるということがあった。
【０００９】
また、粘着性テープの品種を変更する品種変更の際には、品種変更前の粘着性テープが貼着された離型テープを貼着装置の搬送路に残した状態で、品種変更前の供給リールを除去して新たな供給リールを装着し、その供給リールに巻装された品種変更後の粘着性テープを離型テープとともに繰り出す。
【００１０】
そして、その離型テープの先端部を搬送路に残された品種変更前の粘着性テープに貼着して巻き取りリールによって巻き取ることができるようにしている。それによって、新たな品種の粘着性テープが貼着された離型テープを貼着装置の搬送路に通すという、手間の掛かる作業をせずに供給することが可能となる。
【００１１】
しかしながら、その場合にも、品種変更前の粘着性テープが貼着された離型テープを送り手段によって送らなければならないから、その粘着性テープが送り手段に貼着し、離型テープを確実に送ることができなくなるということが生じる。
【００１２】
この発明は、粘着性テープの頭出しや品種変更するとき、離型テープに残留した粘着性テープが搬送手段に付着することがないようにした粘着性テープの貼着装置及び貼着方法を提供することにある。
【課題を解決するための手段】
【００１３】
この発明は、離型テープに貼着された粘着性テープを供給リールから繰り出して所定の長さに切断し、所定の位置に位置決めされる基板の側部上面に貼着してから、上記離型テープを巻き取りリールに巻き取る貼着装置であって、
所定の位置に位置決めされた上記基板よりも上記供給リール側に設けられこの供給リールから上記離型テープとともに繰り出された上記粘着性テープを所定の長さに切断する切断ユニットと、
所定の位置に位置決めされた上記基板よりも上記巻き取りリール側に設けられ所定の長さに切断された上記粘着性テープを上記離型テープとともに送って上記基板の側部上面に対向する位置に位置決めする送り手段と、
位置決めされた上記粘着性テープを位置決めされた上記基板の側部上面に加圧貼着する加圧手段と、
所定の位置に位置決めされる上記基板と上記送り手段との間に設けられ上記送り手段によって送られて上記巻き取りリールに巻き取られる離型テープに粘着性テープが残留しているときにその粘着性テープに温度変化を与えて粘着性を除去する温度制御手段と
を具備したことを特徴とする粘着性テープの貼着装置にある。
【００１４】
上記温度制御手段は上記粘着性テープを冷却して粘着性を除去する冷却装置であることが好ましい。
【００１５】
上記温度制御手段は上記粘着性テープを加熱して粘着性を除去する加熱装置であることが好ましい。
【００１６】
上記送り手段は、上記離型テープを挟持する一対の爪を有するチャックと、上記一対の爪が上記離型テープを挟持した状態で上記チャックを上記離型テープの巻き取り方向に沿って駆動する送り装置とによって構成されていることが好ましい。
【００１７】
上記送り手段は、回転駆動される駆動ローラと、この駆動ローラに上記離型テープを介して弾性的に転接する挟みローラとによって構成されていることが好ましい。
【００１８】
この発明は、離型テープに貼着された粘着性テープを供給リールから繰り出して所定の長さに切断し、所定の位置に位置決めされる基板の側部上面に貼着してから、上記離型テープを巻き取りリールに巻き取る貼着方法であって、
上記粘着性テープを所定の長さに切断する工程と、
所定の長さに切断された粘着性テープを上記基板の側部上面に貼着する工程と、
粘着性テープが基板に貼着された離型テープを上記巻き取りリールに巻き取る工程と、
上記離型テープを上記巻き取りリールに巻き取るために送るとき、上記離型テープに上記粘着性テープが残留していたならばその粘着性テープに温度変化を与えて粘着性を除去する工程と
を具備したことを特徴とする粘着性テープの貼着方法にある。
【発明の効果】
【００１９】
この発明によれば、粘着性テープが貼着された離型テープが搬送手段によって搬送されるとき、粘着性テープは温度変化が与えられて粘着性が除去されているから、粘着性テープが搬送手段に付着して離型テープの搬送が円滑に行なえなくなるのを防止することができる。
【発明を実施するための最良の形態】
【００２０】
以下、図面を参照しながらこの発明の実施の形態を説明する。
【００２１】
図１乃至図３はこの発明の第１の実施の形態を示し、図１に示す貼着装置は基板ステージ５を備えている。この基板ステージ５はベース６を有し、このベース６の上面にＸ駆動源６ａ、Ｙ駆動源６ｂ及びθ駆動源６ｃによってＸ、Ｙ及びθ方向に駆動されるテーブル７が設けられている。
【００２２】
上記テーブル７上には、液晶ディスプレイパネルなどに用いられる、重ね合わされたガラス製の一対の基板Ｗが供給されて真空吸着される。基板Ｗの上面の一側部には図３（ｂ）に示すように複数の端子１ａが所定間隔で形成された端子部１が所定長さで設けられている。
【００２３】
上記端子部１には、熱硬化性樹脂によって形成された両面粘着性の異方性導電部材からなる粘着性テープ２が後述するように所定の長さに切断されて貼着されるようになっている。そして、粘着性テープ２が貼着された端子部１には、図３（ａ）に示すようにＴＣＰなどの電子部品３が圧着される。
【００２４】
図１に示すように、上記粘着性テープ２は一側面に透光性の樹脂テープからなる離型テープ８に貼着されて供給リール９に巻かれている。そして、一対のガイドローラ１１にガイドされて粘着性テープ２を下にし、上記テーブル７に載置された上記基板Ｗの端子部１の上方に対向して走行するようになっている。
【００２５】
上記テーブル７の上方には加圧手段としてのヒータ１３ａを有する加圧ツール１３が上下駆動機構１４によって上下動可能に設けられている。粘着性テープ２は、基板ステージ５によって位置決めされた基板Ｗと上記供給リール９との間に配設された後述する切断ユニット２３によって所定長さに切断される。
【００２６】
粘着性テープ２の所定の長さに切断された部分はテーブル７上に載置された基板Ｗの端子部１に対向する位置まで搬送されて停止する。停止後に加圧ツール１３が下降することで、上記粘着性テープ２の所定長さに切断された部分が基板Ｗの端子部１に加圧貼着される。その後、離型テープ８は図示しない離型ローラによって基板Ｗに貼着された粘着性テープ２から剥離され、巻き取りリール１２に巻き取られるようになっている。
【００２７】
上記粘着性テープ２と離型テープ８とは、基板ステージ５によって位置決めされた基板Ｗと上記巻き取りリール１２との間に配置された、送り手段としての送り装置２０によって搬送される。この送り装置２０はチャック２１を有し、このチャック２１には離型テープ８を挟持する一対の爪２１ａが開閉可能に設けられている。
【００２８】
上記チャック２１は図示しないガイド体によって回転不能にガイドされている。このチャック２１にはサーボモータ２２ｂによって回転駆動される駆動ねじ２２ａが螺合されていて、この駆動ねじ２２ａが回転駆動されることで、上記チャック２１は直線駆動されるようになっている。
【００２９】
すなわち、上記チャック２１の爪２１ａが離型テープ８を挟持した状態で上記駆動ねじ２２ａを回転駆動し、このチャック２１を図１に矢印Ｘで示す方向へ駆動すれば、上記離型テープ８とともに上記粘着性テープ２がＸ方向へ搬送され、この粘着性テープ２が所定の位置、つまり基板Ｗの端子部１に対向する位置に位置決めされるようになっている。
【００３０】
上記粘着性テープ２は基板ステージ５によって所定の位置に位置決めされた基板Ｗよりも搬送方向上流側において、上記切断ユニット２３によって所定の長さに切断される。この切断ユニット２３は、粘着性テープ２の供給リール９から引き出されガイドローラ１１によって走行方向が水平走行に変換された部分の下方に先端を対向させて配置されたカッタ２４と、このカッタ２４よりも粘着性テープ２の走行方向下流側の下方に対向して配置された剥離機構２５とから構成されている。上記カッタ２４は図示しない駆動機構によって上下方向に駆動可能となっている。
【００３１】
上記切断ユニット２３は、搬送される粘着性テープ２の上面側の上記カッタ２４と剥離機構２５とに対向して配置された保持ブロック２６を有する。この保持ブロック２６には離型テープ８を介して上記粘着性テープ２の上面を押圧する押し出し部材２７がスライド可能に設けられている。この押し出し部材２７は図示せぬシリンダなどによって所定のタイミングで押圧される。
【００３２】
図２に示すように、上記押し出し部材２７と対向する粘着性テープ２の下面側には剥離ヘッド２８が配置されている。この剥離ヘッド２８はベース板２９に取り付けられている。このベース板２９には剥離用粘着テープ３１が巻回された供給リール３２が設けられ、この剥離用粘着テープ３１は上記剥離ヘッド２８の上面に沿って走行して巻き取りリール３３に巻き取られるようになっている。
【００３３】
上記ベース板２９はシリンダ３４によって上下駆動される。ベース板２９が上昇方向に駆動されると、押し出し部材２７によって粘着性テープ２の一対の切断線２ｂによって切断された箇所が押し下げられる。上記切断線２ｂは、上記カッタ２４が上昇方向に駆動され、粘着性テープ２の上記保持ブロック２６の下面に対向する部分に突き当たることで形成される。
【００３４】
それによって、粘着性テープ２の切断された部分２ｃが剥離ヘッド２８の剥離用粘着テープ３１に押し付けられるから、その部分２ｃが離型テープ８から剥離される。つまり、粘着性テープ２は、基板Ｗに貼着される所定長さの両端部分に上記カッタ２４によってそれぞれ一対の切断線２ｂが所定間隔で形成され、その間の部分２ｃが上記剥離機構２５によって除去されてから、残りの部分が上記加圧ツール１３によって基板Ｗの端子部１ａに貼着されることになる。
【００３５】
なお、粘着性テープ２は、それぞれ一対の２箇所の切断線２ｂによって図１に示すように所定の長さに切断される。カッタ２４による粘着性テープ２の切断のタイミングは、たとえば粘着性テープ２を供給リール９から引き出すチャック２１の動きに連動して行なわれる。
【００３６】
作業の開始時には粘着性テープ２の頭出しを行なうことがあり、また基板Ｗに実装する電子部品３の種類が変更になる場合には粘着性テープ２の品種変更を行うことになる。そのような場合、上述したように粘着性テープ２が付着残留した離型テープ８が送り装置２０に送られてきて、そのチャック２１の爪２１ａに付着して離型テープ８を搬送することができなくなることがある。
【００３７】
そこで、上記基板ステージ５によって位置決めされた基板Ｗと上記送り装置２０との間には、離型テープ８に付着残留した粘着性テープ２を温度変化させてその粘着性を除去する温度制御手段としての冷却装置３７が配設されている。
【００３８】
上記冷却装置３７は上記粘着性テープ２を室温から−５℃〜＋５℃に冷却する。それによって、離型テープ８に付着残留した粘着性テープ２は粘着性が喪失するから、送り装置２０によって送るときにチャック２１の爪２１ａを閉じても、その爪２１ａに粘着テープ２が付着するのが防止される。
【００３９】
このような構成の貼着装置によれば、粘着性テープ２の頭出しを行なったり、粘着性テープ２の品種変更を行うことで、粘着性テープ２が付着残留した離型テープ８が送り装置２０に向かって送られてきたならば、粘着性テープ２が付着した部分が送り装置２０の到達する前に、作業者は冷却装置３７を作動させて離型テープ８に付着した粘着性テープ２を冷却装置３７によって所定の温度に冷却する。
【００４０】
それによって、離型テープ８に付着残留した粘着性テープ２の粘着性が喪失するから、離型テープ８を送り装置２０のチャック２１の爪２１ａで挟持して送る際、離型テープ８に付着残留した粘着性テープ２を上記爪２１ａによって挟んでも、その爪２１ａに付着するのが防止されるから、粘着性テープ２が付着残留した離型テープ８を送り装置２０によって確実に送ることができる。  
なお、冷却装置３７は頭出しや品種変更の作業を行なうときに、予め作動させておいてもよい。
【００４１】
図４はこの発明の第２の実施の形態を示す送り装置の変形例である。この実施の形態の送り装置２０Ａは、離型テープ８を巻き取りリール１２にガイドするガイドローラを兼ねる駆動ローラ４１が用いられている。この駆動ローラ４１は図示しない駆動源によって矢印で示す方向に回転駆動されるようになっている。さらに、駆動ローラ４１には圧縮ばね４２によって付勢された挟みローラ４３が上記離型テープ８を介して弾性的に転接している。
【００４２】
それによって、離型テープ８は上記駆動ローラ４１と挟みローラ４３によって挟持されるから、上記駆動ローラ４１が回転駆動されれば、上記離型テープ８が搬送されることになる。つまり、この実施の形態では上記駆動ローラ４１と挟みローラ４３とで上記送り装置２０Ａを構成している。
【００４３】
そして、上記送り装置２０Ａと、基板ステージ５によって位置決めされた基板Ｗとの間には、第１の実施の形態と同様、離型テープ８に付着残留した粘着性テープ２を冷却してその粘着性を喪失させる冷却装置３７が設けられている。
【００４４】
このような構成によれば、離型テープ８に付着残留した粘着性テープ２は冷却装置３７によって冷却されて駆動ローラ４１と挟みローラ４３との間に入り込む。そのとき、粘着性テープ２は挟みローラ４３側を向いているが、冷却装置３７によって冷却されて粘着性が喪失しているため、上記挟みローラ４３に付着することがない。それによって、駆動ローラ４１を回転駆動すれば、粘着性テープ２が付着した離型テープ８を円滑に搬送することができる。
【００４５】
上記第１、第２の実施の形態では、離型テープに付着残留して搬送装置に搬送されてくる粘着性テープを冷却装置によって冷却して粘着性を喪失させるようにしたが、粘着性テープが熱硬化性の樹脂によって形成されている場合、冷却装置に代わり、加熱装置によって上記粘着性テープを８０〜１２０℃位に加熱して硬化させることで、粘着性を喪失させるようにしてもよい。
【図面の簡単な説明】
【００４６】
【図１】この発明の第１の実施の形態を示す粘着性テープの貼着装置の概略的構成図。
【図２】粘着性テープを所定の長さに切断するための切断ユニットの構成図。
【図３】（ａ）は所定長さに切断された粘着性テープを基板の一側部の端子部に貼着した状態の平面図、（ｂ）は基板の一側部に電子部品を貼着した平面図。
【図４】この発明のほかの実施の形態を示す送り装置の説明図。
【符号の説明】
【００４７】
１…端子部、２…粘着性テープ、３…電子部品、１３…加圧ツール（加圧手段）、２０，２０Ａ…送り装置、２１…チャック、２１ａ…爪、２３…切断ユニット、３７…冷却装置、４１…駆動ローラ、４３…挟みローラ。
【図１】
2008150144.tif 000003
【図２】
2008150144.tif 000004
【図３】
2008150144.tif 000005
【図４】
2008150144.tif 000006